(57)【特許請求の範囲】
【請求項１】
建物の壁面(W) 等より突出し状に取り付けられる筒形のポール本体(4) と、ポール本体(4) の下側に左右一対の紐(3)(3)を介して水平状態に吊り下げられる旗等吊持バー(2) と、ポール本体(4) 内の中心部に長手方向に収められた回転駆動軸(5) と、駆動軸(5) に嵌め被せられて回転方向には固定されて一緒に回転しかつ軸方向にはスライド自在となされるとともに周壁に紐巻取用螺旋状凹部(12)(22)を有する左右一対の紐巻取スプール(11)(21)とを備えている突出しポール式旗等昇降装置において、ポール本体(4) の左右両側の内面所定箇所に、巻取スプール(11)(21)の螺旋状凹部(12)(22)に嵌まり込む巻取スプール推進用凸部(16)(26)が設けられ、これらの推進用凸部(16)(26)が螺旋状凹部(12)(22)内に嵌まり込んだ状態で、推進用凸部(16)(26)の先端部と、螺旋状凹部(12)(22)底壁との間に紐(3)(3)を収容する空隙部(12a)(22a)が残され、ポール本体(4) の左右両側において周壁底部の所要箇所に紐挿通孔(9)(9)があけられ、これらの挿通孔(9)(9)を通過した紐(3)(3)の先端部(3a)(3a)が、左側紐巻取スプール(11)の胴壁部(11a) の左端部で螺旋状凹部(12)の端部の底壁および右側紐巻取スプール(21)の胴壁部(21a) の右端部で螺旋状凹部(22)の端部の底壁にそれぞれ止められており、回転駆動軸(5) を、これの右端部より見て反時計回りの方向に回転せしめることにより、左右両紐巻取スプール(11)(21)が回転するとともに、左側紐巻取スプール(11)の右巻きの紐巻取用螺旋状凹部(12)にポール本体(4) 側の推進用凸部(16)が嵌まり込みかつ右側紐巻取スプール(21)の左巻きの紐巻取用螺旋状凹部(22)にポール本体(25)側の推進用凸部(26)が嵌まり込んでいることにより、両巻取スプール(11)(21)が回転駆動軸(5) に沿って軸方向に互いに離れるようにスライドせしめられ、左右両紐(3)(3)が、それぞれ同側の巻取スプール(11)(21)の螺旋状凹部(12)(22)内にそれらの一端より順に収められて、巻取スプール(11)(21)にそれぞれ一重に整列した状態に巻き取られ、両紐(3)(3)に吊り下げられた吊持バー(2) と旗等(1) が水平状態を保持しつゝ上昇せしめられ、回転駆動軸(5) を、該軸(5) 右端部より見て時計回りの方向に回転せしめることにより、左右両巻取スプール(11)(21)が、上記の場合とは逆方向に回転するとともに、左側紐巻取スプール(11)の右巻きの紐巻取用螺旋状凹部(12)にポール本体(4) 側の推進用凸部(16)が嵌まり込みかつ右側紐巻取スプール(21)の左巻きの紐巻取用螺旋状凹部(22)にポール本体(25)側の推進用凸部(26)が嵌まり込んでいることにより、両巻取スプール(11)(21)が回転駆動軸(5) に沿って軸方向に互いに近づくようにスライドせしめられ、左右両紐(3)(3)が、それぞれ同側の巻取スプール(11)(21)の螺旋状凹部(12)(22)より順に同じ長さ分ずつ繰り出されて巻き戻され、両紐(3)(3)に吊り下げられた吊持バー(2) と旗等(1) が水平状態を保持しつゝ降下せしめられるようになされている、突出しポール式旗等昇降装置。
【発明の詳細な説明】
【０００１】
【発明の属する技術分野】
この発明は、突出しポール式旗等昇降装置に関するものである。
【０００２】
【従来の技術】
近年、街頭やホテルのロビーなどにおいて、建物の壁面より突き出したポールに、旗や垂れ幕が吊り下げられて、掲揚されることが行なわれているが、従来は、この突出しポールに滑車と紐により旗等を吊り下げたり、あるいは建物の２階やロビーの階上から突出しポールに旗等を吊り下げたりしていた。
【０００３】
【発明が解決しようとする課題】
しかしながら、このような従来の方法では、前者の場合、紐を巻き取るさい、紐が絡み合ったりして、コンスタントな巻き取りができないし、後者の場合、建物の２階やロビーの階上に設置された突出しポールの場所まで上って、旗等を昇降する必要があり、非常に面倒であるという問題があった。
【０００４】
この発明の目的は、上記の従来技術の問題を解決し、旗等吊持バーを吊り下げる一対の紐を巻き取るさい、両紐を巻取ドラムにそれぞれ一重の整列状態に巻き付け、紐の巻き取り長さを確定して、紐相互の噛み付き現象や片寄り巻きの発生を防止することができ、紐のコンスタントな巻き取りが可能であり、これによって吊持バーが傾くことなく水平状態で昇降せしめることができ、また巻き戻しのさいにも、両紐の巻き戻し長さを同様に確定することができて、旗等を適正な水平状態で掲揚することができ、さらに建物の２階やロビーの階上等に設置された突出しポールの場所まで上ることなく、旗等を非常に簡単にかつ適正な水平状態で掲揚しあるいは降ろすことができる突出しポール式旗等昇降装置を提供しようとするにある。
【０００５】
【課題を解決するための手段】
上記の目的を達成するために、この発明による突出しポール式旗等昇降装置は、建物の壁面等より突出し状に取り付けられる筒形のポール本体と、ポール本体の下側に左右一対の紐を介して水平状態に吊り下げられる旗等吊持バーと、ポール本体内の中心部に長手方向に収められた回転駆動軸と、駆動軸に嵌め被せられて回転方向には固定されて一緒に回転しかつ軸方向にはスライド自在となされるとともに周壁に紐巻取用螺旋状凹部を有する左右一対の紐巻取スプールとを備えている突出しポール式旗等昇降装置において、ポール本体の左右両側の内面所定箇所に、巻取スプールの螺旋状凹部に嵌まり込む巻取スプール推進用凸部が設けられ、これらの推進用凸部が螺旋状凹部内に嵌まり込んだ状態で、推進用凸部の先端部と、螺旋状凹部底壁との間に紐を収容する空隙部が残され、ポール本体の左右両側において周壁底部の所要箇所に紐挿通孔があけられ、これらの挿通孔を通過した紐の先端部が、左側紐巻取スプールの胴壁部の左端部で螺旋状凹部の端部の底壁および右側紐巻取スプールの胴壁部の右端部で螺旋状凹部の端部の底壁にそれぞれ止められており、回転駆動軸を、これの右端部より見て反時計回りの方向に回転せしめることにより、左右両紐巻取スプールが回転するとともに、左側紐巻取スプールの右巻きの紐巻取用螺旋状凹部にポール本体側の推進用凸部が嵌まり込みかつ右側紐巻取スプールの左巻きの紐巻取用螺旋状凹部にポール本体側の推進用凸部が嵌まり込んでいることにより、両巻取スプールが回転駆動軸に沿って軸方向に互いに離れるようにスライドせしめられ、左右両紐が、それぞれ同側の巻取スプールの螺旋状凹部内にそれらの一端より順に収められて、巻取スプールにそれぞれ一重に整列した状態に巻き取られ、両紐に吊り下げられた吊持バーと旗等が水平状態を保持しつゝ上昇せしめられ、回転駆動軸を、該軸右端部より見て時計回りの方向に回転せしめることにより、左右両巻取スプールが、上記の場合とは逆方向に回転するとともに、左側紐巻取スプールの右巻きの紐巻取用螺旋状凹部にポール本体側の推進用凸部が嵌まり込みかつ右側紐巻取スプールの左巻きの紐巻取用螺旋状凹部にポール本体側の推進用凸部が嵌まり込んでいることにより、両巻取スプールが回転駆動軸に沿って軸方向に互いに近づくようにスライドせしめられ、左右両紐が、それぞれ同側の巻取スプールの螺旋状凹部より順に同じ長さ分ずつ繰り出されて巻き戻され、両紐に吊り下げられた吊持バーと旗等が水平状態を保持しつゝ降下せしめられるようになされていることを特徴としている。
【０００６】
【発明の実施の形態】
つぎに、この発明の実施の形態を、図面を参照して説明する。
【０００７】
図１と図４を参照すると、この発明による突出しポール式旗昇降装置(10)は、建物の壁面(W) 等に、駆動力伝達部ケーシング(30)を介して水平突出状に取り付けられる例えば長い円筒形のポール本体(4) と、ポール本体(4) の下方に左右一対の紐(3)(3)を介して水平状態に吊り下げられる旗等吊持バー(2) と、ポール本体(4) 内の中心部に長手方向に収められた角棒形の回転駆動軸(5) と、駆動軸(5) に嵌め被せられて回転方向には固定されて一緒に回転しかつ軸方向にはスライド自在となされるとともに周壁に紐巻取用螺旋状凹部(12)(22)を有する左右一対の紐巻取スプール(11)(21)とを備えている。
【０００８】
図２と図３に詳しく示すように、ポール本体(4) の左右両側の周壁頂部の所定箇所に、巻取スプール(11)(21)の螺旋状凹部(12)(22)に嵌まり込むピンなどよりなる巻取スプール推進用凸部(16)(26)が内方突出状に設けられ、これらの推進用凸部(16)(26)の先端部(16a)(26a)が螺旋状凹部(12)(22)内に一部嵌まり込んでおり、推進用凸部(16)(26)の先端部(16a)(26a)と螺旋状凹部(12)(22)の底壁との間には、紐(3)(3)を収容する空隙部(12a)(22a)が形成されている。
【０００９】
またポール本体(4) の左右両側において周壁底部の所要箇所に紐挿通孔(9)(9)があけられており、これらの挿通孔(9)(9)を通過した紐(3)(3)の先端部(3a)(3a)が左右両紐巻取スプール(11)(21)の螺旋状凹部(12)(22)の端部の底壁にそれぞれねじ(7)(7)で止められている。
【００１０】
ここで、ポール本体(4) としては、長い円筒形のアルミニウム製パイプ、透明な合成樹脂製のパイプ、ステンレス鋼製パイプ等が使用される。
【００１１】
吊持バー(2) としては、アルミニウム等の金属製もしくは合成樹脂製の棒ないしは径小のパイプが用いられる。
【００１２】
さらにポール本体(4) の周壁の所定箇所に内方突出状に設けられて、巻取スプール(11)(21)の螺旋状凹部(12)(22)に嵌め込まれる巻取スプール推進用凸部(16)(26)としては、ピンなどを利用して１つないし２つ以上設ければ良いが、その他、所要の大きさを有する金属製あるいは合成樹脂製のチップを、ポール本体(4) の周壁内面に接着剤を用いて貼り付けることにより、推進用凸部(16)(26)を形成しても良い。また推進用凸部(16)(26)は、螺旋状凹部(12)(22)内に嵌まり込むものであれば、長い凸条であっても良い。
【００１３】
なお、ポール本体(4) 内の中心部に長手方向に収められた角棒形の回転駆動軸(5) の一端部には、傘歯車(33)(34)等を含む回転駆動力伝達機構が取り付けられていて、長い柄(46)付きハンドル(45)により駆動軸(5) が手動で回転せしめられるようになされている。
【００１４】
しかしながら、例えば図５に示すように、傘歯車(33)(34)等を含む回転駆動力伝達機構に、壁面(W) に埋設されたフレキシブルワイヤ(51)の上端部(51a) が接続され、かつ同ワイヤ(51)の下端部(51b) が、壁面(W) の高さの低い部分に設けられたハンドル差込み部(53)内に露出せしめられていて、該ワイヤ(51)の下端部(51b) に、通常の短い柄のハンドル(55)を接続して、該ハンドル(55)を回すことにより、駆動軸(5) が手動で回転せしめられるようになされていても良い。
【００１５】
また、図示は省略したが、回転駆動軸(5) の一端部に例えば小型モータの駆動軸が接続されていて、モータの作動により駆動軸(5) が自動的に回転せしめられるようになされていても良い。
【００１６】
回転駆動軸(5) の形状は、断面四角形、三角形、五角形等の角棒形に限らず、例えばスプライン溝を有する断面円形のものであっても良く、要するに、駆動軸(5) に嵌め被せられた一対の紐巻取スプール(11)(21)が、回転方向には固定されて一緒に回転しかつ軸方向にはスライド自在となされるようなものであれば、良い。
【００１７】
この発明の昇降装置(10)によって、最も降下した状態の旗(1) を掲揚する（上昇させる）場合には、例えば図４に示す長い柄(46)付きハンドル(45)の先端部を、駆動軸(5) の右端部に連なる傘歯車(33)(34)等を含む回転駆動力伝達機構に接続し、ハンドル(45)を回転させて、該駆動力伝達機構を介して回転駆動軸(5) を、これの右端部より見て反時計回りの方向に回転せしめる。
【００１８】
これにより、左右両紐巻取スプール(11)(21)が回転するとともに、左側紐巻取スプール(11)のいわゆる右巻きの紐巻取用螺旋状凹部(12)にポール本体(4) 側の推進用凸部(16)が嵌まり込みかつ右側紐巻取スプール(21)のいわゆる左巻きの紐巻取用螺旋状凹部(22)にポール本体(25)側の推進用凸部(26)が嵌まり込んでいることにより、両巻取スプール(11)(21)が回転駆動軸(5) に沿って軸方向に互いに離れるようにスライドせしめられる。
【００１９】
こうして、左右両紐(3)(3)が、それぞれ同側の巻取スプール(11)(21)の螺旋状凹部(12)(22)内にそれらの一端より順に収められて、図２と図３に示すように、巻取スプール(11)(21)にそれぞれ一重に整列した状態に巻き取られる。
【００２０】
従って、左右両紐(3)(3)の相互の噛み付き現象や片寄り巻きの発生を防止することができて、両紐(3)(3)のコンスタントな巻き取りが可能であり、ひいては両紐(3)(3)に吊り下げられた吊持バー(2) と旗(1) を、水平状態を保持しつゝ上昇させることができて、適正に掲揚することができる。
【００２１】
勿論、建物の２階やロビーの階上等に設置された突出しポールの場所まで上ることなく、吊持バー(2) と旗(1) を、非常に簡単な操作で上昇させることができるものである。
【００２２】
つぎに、上記のようにして掲揚した旗(1) を降ろすには、ハンドル(45)を今度は上記の場合と反対方向に回して、傘歯車(33)(34)等の回転駆動力伝達機構を介して回転駆動軸(5) を、該軸(5) 右端部より見て時計回りの方向に回転させれば良い。これにより、左右両巻取スプール(11)(21)が駆動軸(5) と一緒に、上記の場合とは逆方向に回転するとともに、左側紐巻取スプール(11)の右巻きの紐巻取用螺旋状凹部(12)にポール本体(4) 側の推進用凸部(16)が嵌まり込みかつ右側紐巻取スプール(21)の左巻きの紐巻取用螺旋状凹部(22)にポール本体(25)側の推進用凸部(26)が嵌まり込んでいることにより、両巻取スプール(11)(21)が回転駆動軸(5) に沿って軸方向に互いに近づくようにスライドせしめられる。
【００２３】
こうして、左右両巻取スプール(11)(21)は回転しながら、駆動軸(5) に沿って軸方向にスライドするため、左右両紐(3)(3)が、それぞれ同側の巻取スプール(11)(21)の螺旋状凹部(12)(22)より順に同じ長さ分ずつ繰り出されて巻き戻され、これによって両紐(3)(3)の巻き戻し長さを一定のものとすることができて、吊持バー(2) と旗(1) を傾くことなく、水平状態で降下せしめることができ、旗(1) を水平状態で適正に降ろすことができる。
【００２４】
なお、この発明の昇降装置によって昇降せしめられるものは、旗(1) だけでなく、垂れ幕などその他のものであってもよい。
【００２５】
また、左右一対の紐巻取スプール(11)(21)の周壁には、それぞれの胴壁部(11a)(21a)に螺旋状の凸部(13)(23)が設けられることにより、凸部(13)(13)および凸部(23)(23)同士の間に紐巻取用螺旋状凹部(12)(22)が設けられていても良いし、あるいは左右両紐巻取スプール(11)(21)の胴壁部(11a)(21a)自体に、右ねじもしくは左ねじの雄ねじ部（図示略）が設けられていても良いものである。
【００２６】
【実施例】
つぎに、この発明の実施例を図面に基づいて説明する。
【００２７】
この明細書において、左右は図１を基準とし、左とは図１の左側、右とは同右側をいゝ、また上とは同図上側、下とは同下側をいうものとする。
【００２８】
実施例１
図１〜図４は、この発明の第１実施例を示すものである。
【００２９】
まず、図１と図４を参照すると、この発明による旗昇降装置(10)は、建物の壁面(W) に、アルミニウム製箱形の駆動力伝達部ケーシング(30)を介して水平突出状に設けられた長い円筒形の同じくアルミニウム製のポール本体(4) と、ポール本体(4) の下側に左右一対の紐(3)(3)を介して水平状態に吊り下げられたアルミニウム製の旗吊持バー(2) と、ポール本体(4) 内の中心部に長手方向に収められた角棒形の回転駆動軸(5) と、駆動軸(5) に嵌め被せられて回転方向には固定されて一緒に回転しかつ軸方向にはスライド自在となされるとともに周壁に紐巻取用螺旋状凹部(12)(22)を有する左右一対のナイロン樹脂製の紐巻取スプール(11)(21)とを備えている。なお、箱形の駆動力伝達部ケーシング(30)は建物の壁面(W) に長いボルト(47)によって取り付けられている。
【００３０】
図１〜図３に詳しく示すように、ポール本体(4) の左端部は、アルミニウム製の蓋(6) が被せ止められ、蓋(6) の内側にはナイロン樹脂製の左側軸受部材(18)が固定されており、角棒形駆動軸(5) の左端部に設けられた横断面略円形の左軸端部(15)が該軸受部材(18)の貫通孔(19)に挿通されて回転自在に受けられている。この左軸端部(15)の内側端部には、軸受部材(18)の内側面に当接する位置決めリング(17)が一体に設けられ、該位置決めリング(17)寄りの角棒形駆動軸(5) 部分には、左側第１ストッパ(31)がねじ(7) により止められている。また角棒形駆動軸(5) の中央部の左側寄りの所定部分には、左側第２ストッパ(32)がねじ(7) により止められており、これら両ストッパ(31)(32)同士の間を、紐巻取スプール(11)がスライドするようになされている。
【００３１】
一方、ポール本体(4) の右端部のケーシング(30)の内側にはナイロン樹脂製の右側軸受部材(28)が固定されており、角棒形駆動軸(5) の右端部に設けられた横断面略円形の右軸端部(25)が該軸受部材(28)の貫通孔(29)に挿通されて回転自在に受けられている。この右軸端部(25)の内側端部には、軸受部材(28)の内側面に当接する位置決めリング(27)が一体に設けられ、該位置決めリング(27)寄りの角棒形駆動軸(5) 部分には、右側第１ストッパ(41)がねじ(7) により止められている。また角棒形駆動軸(5) の中央部の右側寄りの所定部分には、右側第２ストッパ(42)がねじ(7) により止められており、これら両ストッパ(41)(42)同士の間を、紐巻取スプール(21)がスライドするようになされている。
【００３２】
ここで、左右両紐巻取スプール(11)(21)は、それぞれの胴壁部(11a)(21a)に螺旋状の凸部(13)(23)が設けられることにより、凸部(13)(13)および凸部(23)(23)同士の間に螺旋状凹部(12)(22)が形成されたものであり、かつ左右両スプール(11)(21)の胴壁部(11a)(21a)の両端部には、ポール本体(4) の周壁の内径より若干小さい外径を有する端部リング(14)(14)(24)(24)が一体に設けられている。
【００３３】
そして、ポール本体(4) の左右両側の周壁頂部の所定箇所に、紐巻取スプール(11)(21)の螺旋状凹部(12)(22)に嵌まり込む巻取スプール推進用ピン(16)(26)が内方突出状に取り付けられている。これらのピン(16)(26)が、上記左右両スプール(11)(21)の螺旋状凹部(12)(22)内に嵌まり込んだ状態で、ピン(16)(26)の先端部(16a)(26a)と螺旋状凹部(12)(22)の底壁、換言すれば左右両スプール(11)(21)の胴壁部(11a)(21a)との間に、紐(3)(3)を収容する空隙部(12a)(22a)が残されている。
【００３４】
また、ポール本体(4) の左右両側において周壁底部の所要箇所に紐挿通孔(9)(9)があけられ、これらの挿通孔(9)(9)を通過した紐(3)(3)の先端部(3a)(3a)が左右両紐巻取スプール(11)(21)の螺旋状凹部(12)(22)の端部の底壁、換言すれば左右両スプール(11)(21)の胴壁部(11a)(21a)にそれぞれねじ(7)(7)によって止められている。
【００３５】
なお、ポール本体(4) の左右両側において周壁底部外面に、上記紐挿通孔(9)(9)に連通しかつ上下両側にテーパ状および逆テーパ状内面を備えた貫通孔(8a)(8a)を有する紐ガイド・リング(8)(8)が取り付けられ、これらのリング(8)(8)の貫通孔(8a)(8a)に、上記左右両紐(3)(3)の長さの中間部が挿通せられている。
【００３６】
つぎに、回転駆動軸(5) の駆動力伝達部について説明すると、上記角棒形駆動軸(5) の右端部に設けられた横断面略円形の右軸端部(25)は、同側の軸受部材(28)を貫通して、箱形ケーシング(30)の左側壁部(30a) の貫通孔(35)を経てケーシング(30)内に突出し、該突出軸部に垂直傘歯車(33)が取り付けられて、ストッパリング(20)により止められている。垂直傘歯車(33)には、これの下部に交差状に配置された水平傘歯車(34)が噛み合わされている。水平傘歯車(34)の垂直軸(36)は箱形ケーシング(30)の下側壁部(30b) の貫通孔を通って下方に突出せしめられ、ケーシング下側壁部(30b) を通る垂直軸(36)の軸中間部(38)の上下両側に環状凸部(37)(37)が設けられ、ケーシング下側壁部(30b) より下方に突出した垂直軸(36)の下端軸部(39)には、長い柄(46)付きハンドル(45)の上端部が差し込まれる下方に開口した角孔(40)が設けられている。
【００３７】
箱形ケーシング(30)の下側壁部(30b) の下面には、垂直軸(36)の下端軸部(39)を囲むようにカバー・リング(43)が取り付けられ、カバー・リング(43)の差込み孔(44)の下端開口部には、ハンドル(45)上端部を案内するためのテーパ面が設けられている。
【００３８】
上記において、左右両紐(3)(3)により吊り下げられた吊持バー(2) と旗(1) が最も降下した状態では、図示は省略されているが、ポール本体(4) 内に収められた左右両紐巻取スプール(11)(21)は、左側第２ストッパ(32)と右側第２ストッパ(42)とに当接して、最も近づいた位置にある。
【００３９】
この発明の旗昇降装置(10)によって、最も降下した状態の旗(1) を掲揚する（上昇させる）場合には、図４に示す長い柄(46)付きハンドル(45)の先端部を、ケーシング(30)の下側壁部下面のカバー・リング(43)の差込み孔(44)（図１参照）に差し込み、ハンドル(45)を回転させて、垂直傘歯車(33)とこれに噛み合された水平傘歯車(34)を含む駆動力伝達機構を介して回転駆動軸(5) を、例えばこれの右端部より見て反時計回りの方向に回転せしめる。
【００４０】
これにより、左右両紐巻取スプール(11)(21)が回転し、かつこれらの螺旋状凹部(12)(22)にポール本体(4) 側のピン(16)(26)が嵌まり込んでいることにより、両巻取スプール(11)(21)が回転駆動軸(5) に沿って軸方向に互いに近づくようにスライドせしめられる。
【００４１】
こうして、左右両紐(3)(3)が、それぞれ同側の巻取スプール(11)(21)の螺旋状凹部(12)(22)内にそれらの一端より順に収められて、図１〜図３に示すように、巻取スプール(11)(21)にそれぞれ一重に整列した状態に巻き取られ、左右両巻取スプール(11)(21)が、角棒形駆動軸(5) の左右両端寄り部分の左側第１ストッパ(31)と右側第１ストッパ(41)とに当接したところで停止する。
【００４２】
従って、左右両紐(3)(3)の相互の噛み付き現象や片寄り巻きの発生を防止することができて、両紐(3)(3)のコンスタントな巻き取りが可能であり、ひいては両紐(3)(3)に吊り下げられた吊持バー(2) と旗(1) を、水平状態を保持しつゝ上昇させることができて、適正に掲揚することができる。勿論、建物の２階のレベルの壁面(W) に設置されている突出しポール本体(4) の場所まで上ることなく、吊持バー(2) と旗(1) を、非常に簡単な操作で上昇させることができる。
【００４３】
つぎに、こうして掲揚した旗(1) を降ろすには、ハンドル(45)を今度は上記の場合と反対方向に回して、傘歯車(33)(34)等の回転駆動力伝達機構を介して回転駆動軸(5) を、該軸(5) 右端部より見て時計回りの方向に回転させれば良い。
【００４４】
これにより、左右両巻取スプール(11)(21)が駆動軸(5) と一緒に、上記の場合とは逆方向に回せしめられするとともに、左側紐巻取スプール(11)の右巻きの紐巻取用螺旋状凹部(12)にポール本体(4) 側のピン(16)が嵌まり込みかつ右側紐巻取スプール(21)の左巻きの紐巻取用螺旋状凹部(22)にポール本体(25)側のピン(26)が嵌まり込んでいることにより、両巻取スプール(11)(21)が回転駆動軸(5) に沿って軸方向に互いに近づくようにスライドせしめられ、両巻取スプール(11)(21)が角棒形駆動軸(5) の中央部の左側第２ストッパ(32)と右側第２ストッパ(42)とに、それぞれ当接したところで停止する。
【００４５】
こうして、左右両巻取スプール(11)(21)は回転しながら、駆動軸(5) に沿って軸方向に互いに近づくようにスライドするため、左右両紐(3)(3)が、それぞれ同側の巻取スプール(11)(21)の螺旋状凹部(12)(22)より順に同じ長さ分ずつ繰り出されて巻き戻され、これによって両紐(3)(3)の巻き戻し長さを一定のものとすることができて、吊持バー(2) と旗(1) を傾くことなく、水平状態で降下せしめることができ、旗(1) を水平状態で適正に降ろすことができる。
【００４６】
なお、角棒形駆動軸(5) に取り付けられた４つのストッパ(31)(32)(41)(42)の位置は、ねじ(7) をゆるめることにより自在に調節することができる。
【００４７】
実施例２
図５は、この発明の第２実施例を示すものである。ここで、上記第１実施例の場合と異なる点は、建物の壁面(W) にフレキシブルワイヤ(51)が埋設されていて、該フレキシブルワイヤ(51)の上端部(51a) が、回転駆動力伝達機構の水平傘歯車(34)の垂直軸部(36)に接続され、かつ同ワイヤ(51)の下端部(51b) が、壁面(W) の高さの低い部分に設けられたハンドル差込み部(53)内に露出せしめられていて、該フレキシブルワイヤ(51)の下端部(51b) に、通常の短い柄のハンドル(55)を差し込んで接続し、ハンドル(55)を回すことにより、駆動軸(5) を手動で回転させて、旗(1) を昇降できるようになされている点にある。
【００４８】
また、この実施例では、建物の壁面(W) に取り付けられた駆動力伝達部ケーシング(30)にカバー(50)が被せられ、かつポール本体(4) の先端部に、矢形の飾り部材(52)が取り付けられている。
【００４９】
なお、建物の壁面(W) へのポール本体(4) の取付高さは、例えば旗(1) の長さ（高さ）を１ｍ、および紐(3)(3)の繰出し全長をそれぞれ２ｍとして、約３ｍ程度である。
【００５０】
この第２実施例のその他の点は上記第１実施例の場合と同様であるので、図面において同一のものには同一の符号を付した。
【００５１】
【発明の効果】
この発明による突出しポール式の旗等昇降装置は、上述のように、建物の壁面等より突出し状に取り付けられる筒形のポール本体と、ポール本体の下側に左右一対の紐を介して水平状態に吊り下げられる旗等吊持バーと、ポール本体内の中心部に長手方向に収められた回転駆動軸と、駆動軸に嵌め被せられて回転方向には固定されて一緒に回転しかつ軸方向にはスライド自在となされるとともに周壁に紐巻取用螺旋状凹部を有する左右一対の紐巻取スプールとを備えている突出しポール式旗等昇降装置において、ポール本体の左右両側の内面所定箇所に、巻取スプールの螺旋状凹部に嵌まり込む巻取スプール推進用凸部が設けられ、これらの推進用凸部が螺旋状凹部内に嵌まり込んだ状態で、推進用凸部の先端部と、螺旋状凹部底壁との間に紐を収容する空隙部が残され、ポール本体の左右両側において周壁底部の所要箇所に紐挿通孔があけられ、これらの挿通孔を通過した紐の先端部が、左側紐巻取スプールの胴壁部の左端部で螺旋状凹部の端部の底壁および右側紐巻取スプールの胴壁部の右端部で螺旋状凹部の端部の底壁にそれぞれ止められており、回転駆動軸を、これの右端部より見て反時計回りの方向に回転せしめることにより、左右両紐巻取スプールが回転するとともに、左側紐巻取スプールの右巻きの紐巻取用螺旋状凹部にポール本体側の推進用凸部が嵌まり込みかつ右側紐巻取スプールの左巻きの紐巻取用螺旋状凹部にポール本体側の推進用凸部が嵌まり込んでいることにより、両巻取スプールが回転駆動軸に沿って軸方向に互いに離れるようにスライドせしめられ、左右両紐が、それぞれ同側の巻取スプールの螺旋状凹部内にそれらの一端より順に収められて、巻取スプールにそれぞれ一重に整列した状態に巻き取られ、両紐に吊り下げられた吊持バーと旗等が水平状態を保持しつゝ上昇せしめられ、回転駆動軸を、該軸右端部より見て時計回りの方向に回転せしめることにより、左右両巻取スプールが、上記の場合とは逆方向に回転するとともに、左側紐巻取スプールの右巻きの紐巻取用螺旋状凹部にポール本体側の推進用凸部が嵌まり込みかつ右側紐巻取スプールの左巻きの紐巻取用螺旋状凹部にポール本体側の推進用凸部が嵌まり込んでいることにより、両巻取スプールが回転駆動軸に沿って軸方向に互いに近づくようにスライドせしめられ、左右両紐が、それぞれ同側の巻取スプールの螺旋状凹部より順に同じ長さ分ずつ繰り出されて巻き戻され、両紐に吊り下げられた吊持バーと旗等が水平状態を保持しつゝ降下せしめられるようになされている。
【００５２】
従って、この発明によれば、旗等吊持バーを吊り下げる一対の紐を巻き取るさい、紐相互の噛み付き現象や片寄り巻きの発生を防止することができて、紐のコンスタントな巻き取りが可能であり、従って巻取スプールに紐を一重の整列状態に確実に巻き付けることができて、紐の巻き取り長さを一定のものとすることができ、あるいはまた巻き付け後に、両紐をそれぞれ一重の整列状態より順次巻き戻すことができて、両紐の巻き戻し長さを、同様に一定のものとすることができ、これによって吊持バーが傾くことなく水平状態で昇降せしめることができて、旗等を適正な水平状態で掲揚しあるいは降ろすことができる。
【００５３】
また勿論、建物の２階やロビーの階上等に設置された突出しポールの場所まで上ることなく、旗等を非常に簡単に掲揚しあるいは降ろすことができ、操作が非常に簡単であるという効果を奏する。
【図面の簡単な説明】
【図１】この発明の第１実施例を示す縦断面図で、紐の巻き取りにより旗が掲揚位置にある状態を示している。
【図２】同実施例の左側部分の拡大縦断面図である。
【図３】同実施例の右側部分の拡大縦断面図である。
【図４】本発明品により旗を掲揚した状態を示す概略正面図である。
【図５】この発明の第２実施例を示す概略正面図で、紐の巻き取りにより旗が掲揚位置にある状態を示している。
【符号の説明】
Ｗ        建物の壁面
１        旗
２        旗等吊持バー
３        紐
３ａ      紐先端部
４        ポール本体
５        回転駆動軸
９        紐挿通孔
１０      旗等昇降装置
１１      左側紐巻取スプール
１２      紐巻取用螺旋状凹部
１２ａ    紐収容空隙部
１６      ピン（巻取スプール推進用凸部）
２１      右側紐巻取スプール
２２      紐巻取用螺旋状凹部
２２ａ    紐収容空隙部
２６      ピン（巻取スプール推進用凸部）
【図１】
0003612608.tif 000002
【図２】
0003612608.tif 000003
【図３】
0003612608.tif 000004
【図４】
0003612608.tif 000005
【図５】
0003612608.tif 000006